(57)【要約】      （修正有）【課題】基礎工事作業で、アースオーガによる中掘工法に使用する４段式拡大ビットに装着されているビットアームの開閉がオーガの回転（正転、逆転）によってなされており、掘削土によってはビットアームが開閉しない場合があった。【解決手段】削孔時に使用する４段式拡大ビット付オーガヘッドのビットアーム２の開閉をコイルスプリング３を利用して、簡単な構造でスムーズに出来るようにする。開閉用コイルスプリング３はオーガに固着したアーム取付ブラケット４にアーム取付ピン５を介して装着される。そのバネ力によりビットアームは常に開の状態を保ち、又、外力によって垂直（下方）へ折り込み出来る。以上により、４段式拡大ビット付オーガヘッドのビットアームの開閉がスムーズに出来る。【選択図】図５
2004360424.tif 000002
【特許請求の範囲】
【請求項１】
拡大ビットのビットアームの開閉をスプリングを利用して簡単に且つスムーズに行える構造とする。
【請求項２】
開閉用のスプリングはコイルスプリングのねじれ力を利用して行う。
【請求項３】
開閉用のスプリングは、ビットアームと一緒に取付ピンにて組み込む。
【請求項４】
ビットアームは、オーガヘッドの回転方向に対し直角（水平、垂直）に開閉させる。
【発明の詳細な説明】
【０００１】
【発明の属する技術分野】
基礎工事作業でアースオーガによる中掘工法に使用する拡大ビット付オーガヘッドのビットアームの開閉をスムーズに、且つ簡単に出来る構造に関するものである。
【０００２】
【従来の技術】
従来の拡大ビット付オーガヘッドでは、オーガマシンの回転（正転、逆転）によってビットアームを開閉させる構造としていた。図１で分かる様にオーガマシンが正転（開）の方向に回転すると、ビットアーム（Ａ）（Ａ’）、（Ｂ）（Ｂ’）、（Ｃ）（Ｃ’）、（Ｄ）（Ｄ’）のビット部が削孔土に引っかかり、堀削土の抵抗によって開き、逆転（閉）の方向に回転するとビットアーム（Ａ）（Ａ’）、（Ｂ）（Ｂ’）、（Ｃ）（Ｃ’）、（Ｄ）（Ｄ’）が閉の方向に倒れ閉じる構造である。この方法だと削孔する地盤によっては、ビットアームが開かない場合がある事が判明した。又、削孔後、スクリューを抜き取る際、削孔土の抵抗によってビットアーム（Ａ）（Ａ’）、（Ｂ）（Ｂ’）、（Ｃ）（Ｃ’）、（Ｄ）（Ｄ’）が閉じない場合があった。何とか拡大ビットのビットアーム（Ａ）（Ａ’）、（Ｂ）（Ｂ’）、（Ｃ）（Ｃ’）、（Ｄ）（Ｄ’）の開閉をスムーズにし効率のあがる構造にしたいものである。
【０００３】
【発明が解決しようとする課題】
本発明は中掘工法（先行中掘）に使用する４段式拡大ビット付オーガヘッドのビットアームの開閉をスムーズに出来る構造とする。
【０００４】
【課題を解決しようとするための手段】
（１）４段式拡大ビット付オーガヘッドのビットアームの開閉をスムーズに出来る構造とする。
（２）ビットアームの開閉は、コイルスプリングを利用して行う。
（３）ビットアームは水平に開き垂直（下方）に閉じる様にする。
（４）ビットアーム及びコイルスプリングの脱着は、取付ピン１本にて行う。
【発明の実施形体】
図２、３、４、５、６、７、８により図面を追って実施形体を説明する。
（１）図３、４は４段式拡大ビットの開閉図を示したものである。この装置は▲１▼のオーガヘッド、拡大ビット（Ａ）（Ａ’）、（Ｂ）（Ｂ’）、（Ｃ）（Ｃ’）、（Ｄ）（Ｄ’）から成る。
（２）ビットアームは図５に示す様に▲１▼のオーガヘッド本体にビットアーム開閉用のコイルスプリング▲３▼と共にアーム取付ピン▲５▼にて装着されている。
（３）図５によりビットアーム▲２▼は装着されている▲３▼の開閉用コイルスプリングにてビットアーム▲２▼の下部を支えられているため水平を保っている。
（４）削孔時は図２、４に示す様に４段式拡大ビット付オーガヘッドのビットアーム（Ａ）（Ａ’）、（Ｂ）（Ｂ’）、（Ｃ）（Ｃ’）、（Ｄ）（Ｄ’）が開（掘削）の状態になっており正転（掘削）方向に回すと削孔する。
（５）削孔が完了すると図５、６に示す様にオーガヘッド本体▲１▼を引き上げる事によりビットアーム▲２▼の背面▲１０▼が▲８▼の鋼管杭の孔口▲９▼に当りビットアーム▲２▼は垂直（下方）に開閉用コイルスプリング▲３▼を押しながら下方向に折り込まれる。
（６）図６により、更に▲１▼のオーガヘッド本体を持ち上げるとビットアーム▲２▼の背面▲１０▼と鋼管杭▲８▼の内面が当ったまま滑りながら抜き取られる。
（７）▲１▼のオーガヘッドが抜き取られると▲３▼の開閉用コイルスプリングのバネ力によって掘折していたビットアーム▲２▼は水平に戻り開（削孔）の状態になる。
【０００５】
【発明の効果】
（１）ビットアームの取付けがオーガヘッドの回転方向に対し直角（水平、垂直（下方））に開閉する構造にしている為、抜き取り時ビットアームが閉じやすく抜き取りがスムーズである。
（２）ビットアームの開閉装置にコイルスプリングを使用している為、構造も簡単でビットアームの開閉もスムーズに出来る。
（３）ビットアーム、コイルスプリングの取付けはピン１本で装着している為、脱着も簡単である。
【図面の簡単な説明】
【図１】４段式拡大ビット開閉図（従来）
【図２】４段式拡大ビット（開）時図（平面図）
【図３】４段式拡大ビット（閉）時図（側面図）
【図４】４段式拡大ビット（開）時図（側面図）
【図５】ビットアーム（開）時側面図
【図６】ビットアーム（閉）時側面図
【図７】ビットアーム（開）時正面図
【図８】ビットアーム（閉）正面図
【符号の説明】
【図１】より
ビットアーム（Ａ）、（Ａ’）
ビットアーム（Ｂ）、（Ｂ’）
ビットアーム（Ｃ）、（Ｃ’）
ビットアーム（Ｄ）、（Ｄ’）
【図２】より
ビットアーム（Ａ）、（Ａ’）
ビットアーム（Ｂ）、（Ｂ’）
ビットアーム（Ｃ）、（Ｃ’）
ビットアーム（Ｄ）、（Ｄ’）
【図３】より
▲１▼オーガヘッド
▲２▼基本ビット
拡大ビット（Ａ）、（Ａ’）
拡大ビット（Ｂ）、（Ｂ’）
拡大ビット（Ｃ）、（Ｃ’）
拡大ビット（Ｄ）、（Ｄ’）
【図４】より
▲１▼オーガヘッド
▲２▼基本ビット
拡大ビット（Ａ）、（Ａ’）
拡大ビット（Ｂ）、（Ｂ’）
拡大ビット（Ｃ）、（Ｃ’）
拡大ビット（Ｄ）、（Ｄ’）
【図５】
▲１▼オーガヘッド本体
▲２▼ビットアーム
▲３▼開閉用コイルスプリング
▲４▼アーム取付ブラケット
▲５▼アーム取付ピン
▲６▼コイルスプリング覆
▲７▼コイルスプリング覆
▲８▼鋼管杭
▲９▼孔口
▲１０▼背面
【図６】
▲１▼オーガヘッド本体
▲２▼ビットアーム
▲３▼開閉用コイルスプリング
▲４▼アーム取付ブラケット
▲５▼アーム取付ピン
▲６▼コイルスプリング覆
▲７▼コイルスプリング覆
▲８▼鋼管杭
▲９▼孔口
▲１０▼背面
【図７】
▲１▼オーガヘッド本体
▲２▼ビットアーム
▲４▼アーム取付ブラケット
【図８】
▲１▼オーガヘッド本体
▲３▼ビットアーム
▲３▼開閉用コイルスプリング
▲４▼アーム取付ブラケット
【図１】
2004360424.tif 000003
【図２】
2004360424.tif 000004
【図３】
2004360424.tif 000005
【図４】
2004360424.tif 000006
【図５】
2004360424.tif 000007
【図６】
2004360424.tif 000008
【図７】
2004360424.tif 000009
【図８】
2004360424.tif 000010